(57)【要約】      （修正有）【課題】１台の携帯電話端末装置を用いて複数の車両に対して施錠または開錠を電子的に行うことができる携帯電話端末装置および電子鍵装置の提供。【解決手段】携帯電話端末装置７が、それぞれ異なる識別符号が割当てられた複数の無線タグ１−１〜１−ｎの識別符号を読み取り、読み取られた複数の識別符号を組み合わせて構成される一つの識別情報に対して暗号化を施し、この暗号化情報を送信し、電子鍵装置が、携帯電話端末装置７から送信される暗号化情報を受信して復号化された識別情報を記憶し、この記憶されている識別情報と復号化後に一致する暗号化情報を携帯電話端末装置７から受信したときには、施錠または開錠する。【選択図】図１
2007231654.tif 000002
【特許請求の範囲】
【請求項１】
それぞれ異なる識別符号が割当てられた複数の無線タグの識別符号を読み取る無線タグ情報読取手段と、
この無線タグ情報読取手段により読み取られた複数の識別符号を組み合わせて構成される一つの識別情報に対して暗号化を施す暗号化手段と、
この暗号化手段により生成された暗号化情報を送信する暗号化情報送信手段と
を備えた携帯電話端末装置。
【請求項２】
請求項１記載の携帯電話端末装置から送信される暗号化情報を受信して復号化された識別情報を記憶する識別情報記憶手段と、
この識別情報記憶手段に記憶されている識別情報と復号化後に一致する暗号化情報を請求項１記載の携帯電話端末装置から受信したときには、施錠または開錠する手段と
を備えた電子鍵装置。
【請求項３】
複数の前記識別情報を記憶する鍵情報記憶手段と、
この鍵情報記憶手段に記憶された複数の前記識別情報のいずれかを操作入力にしたがって選択し暗号化して送信する手段と
を備えた請求項１記載の携帯電話端末装置。
【請求項４】
前記鍵情報記憶手段に記憶されたひとつの識別情報の更新に際しては、旧識別情報と共に新識別情報を暗号化して送信し、さらに更新要求を送信する手段を備えた請求項１または３記載の携帯電話端末装置。
【請求項５】
前記識別情報記憶手段に記憶されている識別情報と一致する暗号化された識別情報を請求項１記載の携帯電話端末装置から受信し、さらに、暗号化された新たな識別情報と共に更新要求を受信したときには、前記識別情報記憶手段に既に記憶されている当該識別情報を前記新たな識別情報により更新する手段を備えた請求項２記載の電子鍵装置。
【請求項６】
携帯電話端末装置が、それぞれ異なる識別符号が割当てられた複数の無線タグの識別符号を読み取り、読み取られた複数の識別符号を組み合わせて構成される一つの識別情報に対して暗号化を施し、この暗号化情報を送信し、
電子鍵装置が、前記携帯電話端末装置から送信される暗号化情報を受信して復号化された識別情報を記憶し、この記憶されている識別情報と復号化後に一致する暗号化情報を前記携帯電話端末装置から受信したときには、施錠または開錠する
電子鍵の動作方法。
【請求項７】
前記携帯電話端末装置が、生成された異なる複数の識別情報を記憶し、記憶した複数の前記識別情報のいずれかを操作入力にしたがって選択し暗号化して送信する請求項６記載の電子鍵の動作方法。
【請求項８】
前記携帯電話端末装置が、記憶したひとつの識別情報の更新に際し、旧識別情報と共に新識別情報を暗号化して送信し、さらに更新要求を送信し、
前記電子鍵装置が、記憶している識別情報と一致する暗号化された識別情報を前記携帯電話端末装置から受信し、さらに、暗号化された新たな識別情報と共に更新要求を受信したときには、既に記憶している当該識別情報を前記新たな識別情報により更新する
請求項６記載の電子鍵の動作方法。
【請求項９】
汎用の情報処理装置にインストールすることにより、その情報処理装置に、請求項１、３、４のいずれかに記載の携帯電話端末装置の機能に相応する機能を実現させるプログラム。
【請求項１０】
汎用の情報処理装置にインストールすることにより、その情報処理装置に、請求項２または５記載の電子鍵装置の機能に相応する機能を実現させるプログラム。
【発明の詳細な説明】
【技術分野】
【０００１】
本発明は、二輪車あるいは自動車の施錠または開錠を電子的に行う装置に利用する。特に、携帯電話端末装置を鍵として用いる技術に関する。
【背景技術】
【０００２】
昨今の携帯電話端末装置は、電話通信を行う機能の他に、様々な機能を備えており、その機能の範囲は、メール通信、テレビ電話、Ｗｅｂブラウジングなどの通信機能の範疇を超え、定期券や電子マネーとしての機能も備えるようになるなど、あらゆる分野に及んでいる。
【０００３】
例えば、特許文献１の提案は、携帯電話端末装置から送信される識別情報を利用して二輪車の鍵を開錠するという提案である。また、特許文献２の提案は、携帯電話端末装置が有する秘密鍵と当該携帯電話端末装置が通信を行う施開錠制御装置が有する公開鍵とを利用して自動車のキーレスエントリーシステムにおけるセキュリティ効果を高めるという提案である。
【０００４】
このように携帯電話端末装置を車両の鍵として利用することにより、ユーザは、車両の鍵を持ち歩く必要がなくなるという利便性を得ることができる。
【０００５】
【特許文献１】特開２００６−１６８４５号公報
【特許文献２】特開２００６−９３３３号公報
【特許文献３】特開２００３−３０６１８６号公報
【特許文献４】特開２００４−１７８４８３号公報
【発明の開示】
【発明が解決しようとする課題】
【０００６】
上述した特許文献１または２の提案における携帯電話端末装置の利用形態では、１台の携帯電話端末装置が有する識別情報あるいは秘密鍵は予め定められた一つに限定される。よって、１台の携帯電話端末装置を複数の車両の鍵として用いることはできない。したがって、例えば、二輪車と自動車とを所有し、これらを乗り継いで利用するユーザを想定した場合に、自動車の方は携帯電話端末装置を鍵として利用できたとしても、二輪車の鍵は持ち歩く必要があり、携帯電話端末装置によって自動車の鍵を代替できる利便性が半減してしまう。
【０００７】
もちろん、携帯電話端末装置に着脱可能なメモリカードなどの記憶媒体を複数用意し、これに識別情報あるいは秘密鍵を予め書き込んでおいて交換すれば、１台の携帯電話端末装置を複数の車両の鍵として用いることは可能であるが、この場合には、複数の記録媒体を持ち歩かねばならず、また、記録媒体の交換に手間がかかる。したがって、鍵を持ち歩かなくて済むという利便性が記録媒体を持ち歩いて交換するという煩わしさによって消滅してしまう。よって、このような複数の記録媒体を用いる利用形態は、ここでは除外する。
【０００８】
本発明は、このような背景の下に行われたものであって、１台の携帯電話端末装置を用いて複数の車両に対して施錠または開錠を電子的に行うことができる携帯電話端末装置および電子鍵装置を提供することを目的とする。
【課題を解決するための手段】
【０００９】
自転車やオートバイなどの二輪車あるいは自動車の盗難防止に関しては、様々な提案がなされている。例えば、特許文献３の提案では、自転車にＲＦＩＤタグ（以下、無線タグという）を取り付けることにより、盗難自転車の早期発見を実現している。あるいは、特許文献４の提案では、二輪車の主要部品にそれぞれ無線タグを取り付けておき、これらの無線タグを監視し、その内のいずれかが不検出になるとその部品が盗難されたと判断して警報を発出することにより、部品単位での盗難監視を実現している。さらに、その盗難検出結果を携帯電話に通知することもできる。
【００１０】
本発明は、特許文献４の提案に着目し、本発明の携帯電話端末装置は、それぞれ異なる識別符号が割当てられた複数の無線タグの識別符号を読み取る無線タグ情報読取手段と、この無線タグ情報読取手段により読み取られた複数の識別符号を組み合わせて構成される一つの識別情報に対して暗号化を施す暗号化手段と、この暗号化手段により生成された暗号化情報を送信する暗号化情報送信手段とを備える。
【００１１】
これによれば、二輪車または自動車の各部品にそれぞれ取り付けられている無線タグからの異なる識別符号を読み取り、この識別符号の組み合わせに基づいた識別情報を生成し、これを暗号化した情報を電子鍵の施錠または開錠に利用することができる。
【００１２】
例えば、同じ二輪車であっても各部品に取り付けられている無線タグの識別符号は一般的に異なる。また、二輪車と自動車であれば、部品構成が異なるので、当然、各部品に取り付けられている無線タグの数および識別符号は異なる。
【００１３】
本発明は、１台の車両を構成する各部品に取り付けられた無線タグの識別符号の組み合わせによって識別情報を生成するので、必然的に、車両毎に異なる識別情報を生成することができる。したがって、１台の携帯電話端末装置によって複数の車両に対する施錠または開錠を行うことができる。
【００１４】
さらに、本発明の携帯電話端末装置では、このようにして生成された識別情報を当該携帯電話端末装置に一意に定められた暗号化キーを用いて暗号化して送信することにより、前記暗号化キーを持たない、あるいは、前記暗号化キーとは異なる暗号化キーを有する別の携帯電話端末装置によって、無線タグの識別符号が読み取られても、この別の携帯電話端末装置が当該携帯電話端末装置になりすますことは不可能である。
【００１５】
なお、暗号化キーは、盗用を回避するために、定期的に更新するなどの方法を採ることができるが、これについては従来から既存の技術で対応することとし、本発明の主旨とは直接関係がないので説明は省略する。また、後述する復号化キーについても同様であり、例えば、暗号化キーの更新と共に更新される。
【００１６】
また、本発明の他の観点は、本発明の携帯電話端末装置から送信される暗号化情報を受信して復号化された識別情報を記憶する識別情報記憶手段と、この識別情報記憶手段に記憶されている識別情報と復号化後に一致する暗号化情報を本発明の携帯電話端末装置から受信したときには、施錠または開錠する手段とを備えた電子鍵装置である。言うまでもなく、当該電子鍵装置が有する復号化キーは、前記携帯電話端末装置が有する暗号化キーに対応するものである。
【００１７】
このような本発明の電子鍵装置と本発明の携帯電話端末装置とを組み合わせることによって、１台の携帯電話端末装置を用いて複数の車両に対して施錠または開錠を電子的に行う利便性をユーザに提供することができる。
【００１８】
また、本発明の携帯電話端末装置に、複数の前記識別情報を記憶する鍵情報記憶手段を備え、この鍵情報記憶手段に記憶された複数の前記識別情報のいずれかを操作入力にしたがって選択し暗号化して送信する手段を備えることにより、複数の車両に対応する識別情報を１台の携帯電話端末装置に保持することができる。これにより、ごく簡単な切替操作によって、１台の携帯電話端末装置を複数の車両の鍵として用いることができる。
【００１９】
また、前記鍵情報記憶手段に記憶されたひとつの識別情報の更新に際しては、旧識別と共に新識別情報を暗号化して送信し、さらに更新要求を送信する手段を備えることにより、車両の部品を交換した場合や車両自体を交換した場合などに対応することができる。
【００２０】
また、本発明の電子鍵装置では、前記識別情報記憶手段に記憶されている識別情報と一致する暗号化された識別情報を本発明の携帯電話端末装置から受信し、さらに、暗号化された新たな識別情報と共に更新要求を受信したときには、前記識別情報記憶手段に既に記憶されている当該識別情報を前記新たな識別情報により更新する手段を備えることにより、悪意の第三者によって、記憶している識別情報の書き換えが行われることを回避することができる。
【００２１】
なお、本発明の携帯電話端末装置に、前記鍵情報記憶手段を備えずに、その都度、施錠または開錠の対象となる車両の近くで、無線タグの識別符号を読み取って電子鍵装置に暗号化して送信してもよい。しかし、この場合には、部品の一部が既に盗難されてしまっている場合に、施錠または開錠が出来ないことになる。よって、全ての部品が揃っている段階で生成された識別情報を記憶しておくことは有用である。また、電子鍵装置に、既に記憶されている識別情報を更新する際に、旧識別情報と新識別情報とを用いるためにも、前記鍵情報記憶手段は有用である。さらに、無線タグを駐輪場あるいは駐車場にも取り付けておき、この無線タグも監視対象に含める場合に、駐輪場あるいは駐車場以外の場所で、施錠または開錠を行う場合にも前記鍵情報記憶手段に記憶されている駐輪場あるいは駐車場に取り付けられた無線タグの識別符号も含めた識別情報を用いる。
【発明の効果】
【００２２】
本発明によれば、１台の携帯電話端末装置を用いて複数の車両に対して施錠または開錠を電子的に行うことができ、ユーザは、複数の車両に対応する鍵を持ち歩く必要のない利便性を享受できる。
【発明を実施するための最良の形態】
【００２３】
本発明実施例の携帯電話端末装置および電子鍵装置を図１ないし図７を参照して説明する。図１は本実施例の携帯電話端末装置の要部ブロック構成図であり、本発明と関係のある機能ブロックのみ図示した。よって、携帯電話端末装置が従来から有する電話通信のための機能ブロックの図示は省略した。
【００２４】
本実施例の携帯電話端末装置７は、図１に示すように、それぞれ異なる識別符号が割当てられた複数の無線タグ１−１〜１−ｎの識別符号を読み取る無線タグ情報読取部２を備える。無線タグ情報読取部２により読み取られた複数の識別符号は、識別情報生成部３によって、一つの識別情報に組み合わされる。この組み合わせのルールは、例えば、識別符号を昇順または降順に並べたものである。例えば、無線タグ１−１の識別符号が“０１００”、無線タグ１−２の識別符号が“０１０１”、無線タグ１−３の識別符号が“０１０２”、（以下省略）であれば、これらを組み合わせて“１０１００；１０１０１；１０１０２；（以下省略）”とする。
【００２５】
このようにして生成された識別情報に対して暗号化部５は、自携帯電話端末装置７に一意に定められた暗号化キーを用いて暗号化を施す。暗号化部５により暗号化された暗号化情報は送信部６により送信される。また、識別情報生成部３により生成された識別情報は、鍵情報として鍵情報記憶部４に記憶される。
【００２６】
送信部６の動作を図２のフローチャートを参照してさらに詳細に説明する。送信部６はユーザの操作入力を監視し（Ｓ１）、その指示が識別情報の更新であれば（Ｓ２）、旧識別情報を鍵情報記憶部４から読み出し（Ｓ３）、さらに、新識別情報を鍵情報記憶部４から読み出し（Ｓ４）、新旧識別情報をそれぞれ暗号化部５により暗号化すると共に更新要求を付加して送信する（Ｓ５）。また、送信部６はユーザの操作入力を監視し（Ｓ１）、その指示が施錠または開錠であれば（Ｓ２）、ユーザにより選択された識別情報を鍵情報記憶部４から読み出し、この識別情報を暗号化部５により暗号化して送信する（Ｓ６）。
【００２７】
なお、鍵情報記憶部４には、ユーザが所有する複数の車両（二輪者または自動車）毎の識別情報を格納しておくことができ、ユーザは、これらの識別情報の中からいずれかの識別情報を操作入力によって選択し、暗号化して送信することができる。
【００２８】
図３は二輪車における無線タグ１−１〜１−１２の取り付け状況を示す図である。無線タグ１−１は、トランスミッションケース、無線タグ１−２は、フロントフォーク、無線タグ１−３は、排気管、無線タグ１−４は、燃料タンク、無線タグ１−５は、前輪、無線タグ１−６は、後輪、無線タグ１−７は、運転席、無線タグ１−８、１−９は、バックミラー、無線タグ１−１０、１−１１は、ハンドル、無線タグ１−１２は前照灯にそれぞれ取り付けられている。
【００２９】
電子鍵装置１０の従来の構成および動作を図４および図５を参照して説明する。図４は電子鍵装置１０が従来から有するブロック構成を示す図である。図５は電子鍵装置１０が従来から行っている動作を示すフローチャートである。電子鍵装置１０は、無線タグ情報読取部１１により無線タグ１−１〜１−ｎの識別符号を読み取り（Ｓ１１）、読み取った識別符号を監視部１２により確認する（Ｓ１２）。監視部１２には、予め無線タグ１−１〜１−ｎの識別符号が記憶されており、無線タグ情報読取部１１が読み取った識別符号と予め記憶している識別符号とを比較し、不検出な識別符号が有れば（Ｓ１３）、警報部１３は警報を発出する（Ｓ１４）。
【００３０】
これにより、二輪車全体ではなく、一部の部品が盗難された場合でもこれを検出することができる。また、特許文献４の提案では、さらに振動センサを設けることにより、二輪車の移動作業あるいは部品の取り外し作業の有無を検出して盗難を未然に防止することができる。
【００３１】
次に、本発明の特徴的な電子鍵装置１０の構成および動作について図６および図７を参照して説明する。図６は電子鍵装置１０の本発明における特徴的なブロック構成を示す図である。図７は電子鍵装置１０の本発明における特徴的な動作を示すフローチャートである。
【００３２】
電子鍵装置１０の制御機能（図示省略）は、携帯電話端末装置７から送信された暗号化情報を受信部２０により受信する（Ｓ２１）。復号化部２１は、携帯電話端末装置７の暗号化部５が有する暗号化キーに対応する復号化キーを有しており、復号化部２１では、受信した情報内容を復号化して解析し、旧識別情報および新識別情報および更新要求が含まれている場合（破線の処理）には（Ｓ２２）、識別情報記憶部２４内に既に格納されている旧識別情報を新識別情報によって更新する（Ｓ２３）。
【００３３】
また、受信した情報内容が単一の識別情報である場合（実線の処理）には（Ｓ２２）、照合部２２で、識別情報記憶部２４に記憶されている識別情報と一致するか否か照合する（Ｓ２４）。照合結果が一致すれば（Ｓ２５）、その旨は鍵制御部２３に通知され、鍵制御部２３は施錠または開錠を行う（Ｓ２６）。
【００３４】
なお、ここでは、施錠と開錠とがフロー毎に交互に行われるものとするが、ユーザの操作入力によって施錠または開錠を指定するようにしてもよい。あるいは、施錠の際には、識別情報の照合その他の認証手順は行わずに手動によって施錠され、開錠の場合のみ識別情報の照合を行い、鍵制御部２３によって認証が行われるとすることもできる。
【００３５】
（その他の実施例）
上記実施例は、二輪車の例を説明したが、二輪車を自動車に置き換えても同様に説明することができる。なお、二輪車の場合には、施錠によってハンドルがロックされ、エンジンが始動不可能となる。開錠によって、ハンドルのロックが解除されると共に、エンジン始動が可能となる。また、自動車の場合には、施錠によってドアがロックされ、エンジンが始動不可能になる。このときに、ハンドルがロックされてもよい。開錠によって、ドアのロック（またはハンドルのロック）が解除されると共に、エンジン始動が可能となる。
【００３６】
また、無線タグを駐輪場または駐車場にも取り付けておき、この無線タグも監視対象に含めることにより、二輪車または自動車が駐輪場または駐車場から持ち出されたときに警報を発出させることもできる。
【００３７】
本実施例は、汎用の情報処理装置にインストールすることにより、その情報処理装置に、上述の携帯電話端末装置または電子鍵装置に相応する機能を実現させるプログラムとして実施することができる。このプログラムは、記録媒体に記録されて情報処理装置にインストールされ、あるいは通信回線を介して情報処理装置にインストールされることにより当該情報処理装置に、上述の携帯電話端末装置または電子鍵装置に相応する機能を実現させることができる。なお、汎用の情報処理装置は、例えば、携帯電話端末装置または電子鍵装置に実装するマイクロ・コンピュータ・チップである。
【産業上の利用可能性】
【００３８】
本発明によれば、携帯電話端末装置の運営事業者にとっては、携帯電話端末装置の付加価値をさらに拡張することができ、携帯電話端末装置のユーザの獲得に寄与することができる。また、携帯電話端末装置のユーザにとっては、携帯電話端末装置の活用範囲をさらに拡張することができ、ユーザの利便性向上に寄与することができる。
【図面の簡単な説明】
【００３９】
【図１】本実施例の携帯電話端末装置のブロック構成図。
【図２】本実施例の携帯電話端末装置の動作を示すフローチャート。
【図３】二輪車に取り付けられた無線タグの状況を示す図。
【図４】電子鍵装置の従来からのブロック構成図。
【図５】電子鍵装置の従来からの動作を示すフローチャート。
【図６】電子鍵装置の本発明の特徴となるブロック構成図。
【図７】電子鍵装置の本発明の特徴となる動作を示すフローチャート。
【符号の説明】
【００４０】
１−１〜１−ｎ  無線タグ
２、１１  無線タグ情報読取部
３  識別情報生成部
４  鍵情報記憶部
５  暗号化部
６  送信部
７  携帯電話端末装置
１０  電子鍵装置
１２  監視部
１３  警報部
２０  受信部
２１  復号化部
２２  照合部
２３  鍵制御部
２４  識別情報記憶部
【図１】
2007231654.tif 000003
【図２】
2007231654.tif 000004
【図３】
2007231654.tif 000005
【図４】
2007231654.tif 000006
【図５】
2007231654.tif 000007
【図６】
2007231654.tif 000008
【図７】
2007231654.tif 000009